(57)【要約】  本発明の緩み止め電気ソケット及びプラグは、既存の自動車シガレットライターソケットに雄ねじを追加し、既存の自動車シガレットライタープラグにフランジと雌ねじロッキングナットを追加し、ロッキングナットを締め付けることによって、プラグを確実にソケットに固定されて、機械的固定及び電気的接続を同時に達成することができる。ソケットポートとプラグフランジの間には、シーリングラバーリングが配置され、絞られて防水となる。電極の数を増やし、ガイドスプリングを案内することによって、複数の電極が接続され、配線が整頓される。本発明の緩み止め電気ソケット及びプラグは、既存の自動車シガレットライターソケット及びプラグとの双方向相互に挿入することができ、完全な互換性を持つ。本発明の緩み止め電気ソケット及びプラグは、USB、トレーラー、建築用AC電源ソケット及びプラグ等にも適用することができる。本発明の緩み止め電気ソケット及びプラグは、多数の新しい使用シナリオを生成することができ、衛星ナビゲータ、携帯電話、ディスプレイ、カメラ、検出器などを機械的に固定し、電気的に接続することができる。自動車や日常生活に幅広く応用できる。
2019507470.tif 000002
【特許請求の範囲】
【請求項１】
緩み止め電気ソケット及びプラグであって、
ソケットは、シガレットライターソケットの電極を有し、また、その入口外径に雄ねじを有するか、またはプラグは、シガレットライタープラグの電極を有し、フランジと雌ねじロッキングナットも備え、
前記プラグを前記ソケットに挿入することができ、前記プラグのフランジが前記ソケットの入口端部に接触して、前記ロッキングナットの雌ねじを前記ソケットの雄ねじにねじ込むことにより、前記ソケットとプラグが機械的に緩みなく固定され、同時に電極接触を達成し、
または、前記プラグは、雄ねじのない既存の通常のシガレットライターソケットに挿入して電極接触を達成することができ、
あるいは、フランジまたは雌ねじ付きロッキングナットのない既存の通常のシガレットライタープラグを前記ソケットに挿入して電極接触を達成することができることを特徴とする緩み止め電気ソケット及びプラグ
【請求項２】
前記ソケットがガイドスロットを有するか、または前記プラグがガイドスプリングまたはガイドキーを有することを特徴とする請求項1に記載の緩み止め電気ソケット及びプラグ。
【請求項３】
前記ソケットまたは前記プラグは、既存の普通のシガレットライターソケットまたはプラグの電極に加えて追加の電極を有することを特徴とする請求項1または2に記載の緩み止め電気ソケット及びプラグ。
【請求項４】
前記ソケットの前記追加の電極は、前記ソケットの底面または側面に配置された弾性金属ピン、弾性金属プレート、及び弾性金属ワイヤであり、あるいは、前記プラグ上の追加の電極は、弾性または非弾性電極であることを特徴とする請求項3に記載の緩み止め電気ソケット及びプラグ。
【請求項５】
前記追加の電極は、USB又はHDMI（登録商標）コネクタの電極であることを特徴とする請求項3に記載の緩み止め電気ソケット及びプラグ。
【請求項６】
前記ソケットの入口端部と前記プラグのフランジとの間にゴムリングが配置され、前記ソケットと前記プラグがゴムリングに押し付けられ、シーリングまたは防水性能を改善することを特徴とする請求項1または2に記載の緩み止め電気ソケット及びプラグ。
【請求項７】
前記ソケットは、自動車のダッシュボードのフロントパネル、車のダッシュボードの上部パネル、車のシートバック、車の前部の天井、車の中央部の天井、車の後部の天井、車の頭部の外部、車の後部の外部、車の両側の外部、オートバイ、電車、航空機のうちの1つ以上に取り付けられ、または、前記プラグは、GPS衛星ナビゲーション、携帯電話、テレビ、モニタ、カメラ、レーダー、照明パネル、サーチライト、玩具、ライト、芳香剤、検出器、電気コンセント、電気プラグ、ソケット拡張コンバータ、USBソケット、HDMI（登録商標）ソケット、電気カップ、扇風機、無線充電器、無線近距離通信機、コートフック、及びそれらのホルダーのうちの1つ以上が一体化されることを特徴とする請求項1または2に記載の緩み止め電気ソケット及びプラグ。
【請求項８】
前記シガレットライターソケット及びプラグが、USB、HDMI（登録商標）、フラットまたはラウンドタイプのピン電極のソケット及びプラグに置き換えられていることを特徴とする請求項1または2に記載の緩み止め電気ソケット及びプラグ。
【請求項９】
前記シガレットライターソケット及びプラグが、壁AC電源、AC電源端子ブロック、電気機器、及びAC電源ラインのソケット及びプラグに置き換えられていることを特徴とする請求項1または2に記載の緩み止め電気ソケット及びプラグ。
【請求項１０】
前記プラグが、電極を有さず、フランジまたは雌ねじの有無にかかわらず、前記ソケットの雄ねじにねじ止めまたはインレイすることによって、ソケット保護キャップまたは機械的なホルダーを形成することを特徴とする請求項1または2に記載の緩み止め電気ソケット及びプラグ。
【発明の詳細な説明】
【技術分野】
【０００１】
関連アプリケーションへの相互参照
本出願は、2016年1月22日に出願された中国特許出願第201610039962.7号に対する優先権を主張する、2017年1月17日に出願されたPCT/CN2017/071396の継続出願である。上記の出願の開示は、その全体が参照により本明細書に組み込まれる。
【０００２】
本発明は、自動車、列車、二輪車、船舶、航空機及び他の車両及び日常生活のための電気ソケット及びプラグに関する。
【背景技術】
【０００３】
今日では、家庭の自動車には、運転手がシガレットライターを容易に挿入し容易に取り外すことができるように、ダッシュボードにシガレットライターソケットが装備されている。シガレットライターソケットは、シガレットライターに使用されるだけでなく、電力を取るために、すなわち電源ソケットとしても使用することができる。便宜上、シガレットライターソケットは、多くの場合、前後の座席の近くの車内の複数の場所に設置されることがある。現在、運転手と乗客は喫煙を減らし、シガレットライターソケットは電力を取るための電源コンセントとしてのみ使用されます。現時点では、電源を取るための低コストのシガレットライターソケットが出てきました。このようなシガレットライターソケットは高温に耐えられず、シガレットライターには使用できない。しかし、その直径は、従来の高温シガレットライターの直径と同じに維持される。
【０００４】
自動車用シガレットライターソケットは、1920年代からシガレットライターに使用されており、後に汎用電源ソケットとしても使用されている。約90年の間に、数多くの自動車用電化製品が生成されており、将来、自動車用シガレットライターソケットを排除することは困難である。一般的な自動車のシガレットライターソケット及び電源取出し用のプラグは、様々な製品タイプ及びデザインを有する。米国、中国、ヨーロッパ、日本、韓国などの国々にはこの分野で多くの特許があり、そのうちのいくつかはここに記載されておく。米国特許：US1728049、US2528500、US4622454、US5158484、US8446125、US9112315B2、US721038；中国特許：CN01124010、CN2891347Y、CN202917782U、CN203871562U、CN200310100090、CN200710169553、CN200810067659、CN200810096360、CN201280045584；欧州特許：EP2198526B1、EP2233353B1；日本国特許：JPA_1993226037、JPA_1997283231、JPA_1998326648、JPA_2000030814、JPU_1993079882；韓国特許：1020080119295。
【０００５】
国家基準は国によって異なる。例えば、12V車用シガレットライターソケット及びプラグは、米国市場で主に使用されているのがサイズAで、そのソケット内径が20.93〜21.01mmである。サイズBは、そのソケット直径が21.13〜21.33mm、主にヨーロッパ市場で使用されています。電源コネクタとして、シガレットライターソケット及びプラグの問題点は、ソケットとプラグとの間の保持が不十分であるため、自動車の通常の運転状態での自動車の振動によってプラグが緩むことになり、ソケットと電気的に接触しなくなる可能性がある。それに、ソケットとプラグとの間の隙間は比較的大きい。プラグがソケットに挿入されると、機械的な取り付け力は非常に弱く、不安定であり、自動車の通常運転の振動によってプラグが大きく揺れる。シガレットライター機能、電気取り機能、様々な国の異なる規格、以前の製品との互換性を考慮すると、プラグの緩みと電気接続的切断という問題は今まではうまく解決されていません。
【０００６】
しかしながら、近年、衛星ナビゲータ、携帯電話、小型コンピュータが広く利用されており、自動車への利用機会が大幅に増加している。現在のシガレットライターソケット及びプラグが衛星ナビゲータ、携帯電話または小型コンピュータを直接保持する場合、これらの電気製品はワイヤよりもはるかに重いので、それらのディスプレイは揺れになり、見るのが難しく、タッチ操作が難しく、脱落して電源が切れる可能性が高い。したがって、衛星ナビゲータ、携帯電話、小型コンピュータなどのホルダーは、シガレットライターソケット及びプラグから分離される。このとき、ユニバーサルホルダーは機械的な保持力が低く、接続されたワイヤは整然としていません。車内のスペースは限られているので、きちんとしていないワイヤは人々の行動を妨げる可能性がある。
【０００７】
自動車内部には、USBソケットまたはSDメモリカードソケットを有するものがある。いくつかの車の後部には、トレーラーブレーキ、テールライト、ブレーキライト、及びターンシグナルに電力を供給するために電源に接続された4つ以上の電極を備えたトレーラーがあります。これらのソケットとその相手側のプラグはワイヤ等に接続することができるが、機械的な保持力が不十分であるため外部の電子機器を直接保持することが難しく、防水性能も悪い。
【発明の概要】
【０００８】
従来の欠点を解消するために、本発明は、良い機械的保持、良い防水性能、良い配線整理、及び従来の製品との良い交換性能を有する電気ソケット及びプラグを提供する。本発明の緩み止め電気ソケット及びプラグは、優れた汎用性を有し、多数の新しい使用シナリオを生成することができる。
【０００９】
上記の技術的課題を解決するために、本発明は、既存のシガレットライターソケットに雄ねじを追加し、既存のシガレットライタープラグにフランジと雌ねじロッキングナットを追加し、そのロッキングナットでの締め付けによって、プラグをソケットにしっかりと固定する。本発明は、以下の技術的解決法を採用する。
【００１０】
ソケットは、シガレットライターソケットの電極を有し、また、その入口外径に雄ねじを有するか、またはプラグは、シガレットライタープラグの電極を有し、フランジと雌ねじロッキングナットも備えています。
前記プラグを前記ソケットに挿入することができ、前記プラグのフランジが前記ソケットの入口端部に接触して、前記ロッキングナットの雌ねじを前記ソケットの雄ねじにねじ込むことにより、前記ソケットとプラグが機械的にゆるみなく固定され、同時に電極接触を達成する。
または、前記プラグは、雄ねじのない既存の通常のシガレットライターソケットに挿入して電極接触を達成することができる。
あるいは、フランジまたは雌ねじ付きロッキングナットのない既存の通常のシガレットライタープラグを前記ソケットに挿入して電極接触を達成することができる。
【００１１】
前記ソケットがガイドスロットを有するか、または前記プラグがガイドスプリングまたはガイドキーを有する。
【００１２】
前記ソケットまたは前記プラグは、既存の普通のシガレットライターソケットまたはプラグの２つの電極に加えて追加の電極を有する。
【００１３】
前記ソケットの前記追加の電極は、前記ソケットの底面または側面に配置された弾性金属ピン、弾性金属プレート、及び弾性金属ワイヤであり、あるいは、前記プラグ上の追加の電極は、弾性または非弾性電極である。
【００１４】
前記追加の電極は、USB又はHDMI（登録商標）コネクタの電極である。
【００１５】
前記ソケットの入口端部と前記プラグのフランジとの間にゴムリングが配置され、前記ソケットと前記プラグがゴムリングに押し付けられ、シーリングまたは防水性能を改善する。
【００１６】
前記ソケットは、自動車のダッシュボードのフロントパネル、車のダッシュボードの上部パネル、車のシートバック、車の前部の天井、車の中央部の天井、車の後部の天井、車の頭部の外部、車の後部の外部、車の両側の外部、オートバイ、電車、航空機のうちの1つ以上に取り付けられ、または、前記プラグは、GPS衛星ナビゲーション、携帯電話、テレビ、モニタ、カメラ、レーダー、照明パネル、サーチライト、玩具、ライト、芳香剤、検出器、電気コンセント、電気プラグ、ソケット拡張コンバータ、USBソケット、HDMI（登録商標）ソケット、電気カップ、扇風機、無線充電器、無線近距離通信機、コートフック、及びそれらのホルダーのうちの1つ以上が一体化される。
【００１７】
前記シガレットライターソケット及びプラグが、USB、HDMI（登録商標）、フラットまたはラウンドタイプのピン電極のソケット及びプラグに置き換えられている。
【００１８】
前記シガレットライターソケット及びプラグが、壁AC電源、AC電源端子ブロック、電気機器、及びAC電源ラインのソケット及びプラグに置き換えられている。
【００１９】
前記プラグが、電極を有さず、フランジまたは雌ねじの有無にかかわらず、前記ソケットの雄ねじにねじ止めまたはインレイすることによって、ソケット保護キャップまたは機械的なホルダーを形成する。
【図面の簡単な説明】
【００２０】
【図１】図1は、本発明の緩み止め電気ソケット及びプラグとそれを備えた自動車のダッシュボードにGPSが取り付けられた場面で、後方斜視図である。
【００２１】
【図２】図2は、図1のシーンの正面斜視図である。
【００２２】
【図３】図3は、図1のシーンのソケット及びプラグの分解図であり、GPS及びダッシュボードが省略されている。
【００２３】
【図４】図4は、図3のプラグの斜視図であり、本発明は、従来の自動車電気取り用シガレットライターのプラグに基づいて複数の電極を追加する。
【００２４】
【図５】図5は、本発明の防水機能を有する封止ゴムリングと共に組み立てられた緩み止め電気ソケット及びプラグの断面図である。
【００２５】
【図６】図6は、図4と対になるソケットである。
【００２６】
【図７】図7は、複数の内部電極を示す図6のソケットの正面斜視図である。
【００２７】
【図８】図8は、図6のソケットの背面斜視図である。
【００２８】
【図９】図9は、本発明の通常のシガレットライターソケット電極を有する緩み止め電気ソケットであり、ガイド溝がない。
【００２９】
【図１０】図10は、図9のソケットの正面斜視図であり、内側の2つの電極を示す。
【００３０】
【図１１】図11は、本発明の一つの緩み止め電気ソケットであり、前方から取り付けられるネジの穴を有する。
【００３１】
【図１２】図12は、本発明の一つの緩み止め電気ソケットであり、後方から取り付けられるネジ穴を有する。
【００３２】
【図１３】図13は、本発明の緩み止め電気ソケット及びプラグの組み立て図である。
【００３３】
【図１４】図14は、図13の分解図で、プラグの追加の複数の電極がピンである。
【００３４】
【図１５】図15は、本発明の緩み止め電気ソケット及びプラグを有するソケット延長コンバータである。
【００３５】
【図１６】図16は、本発明の緩み止め電気プラグを有するヒューマノイド玩具である。
【００３６】
【図１７】図17は、本発明の一つの緩み止め電気ソケット及びプラグの分解図である。プラグは、複数の同軸電極を有し、またUSBケーブル、ブラケットステアリングボール、及びワイヤに接続される。
【００３７】
【図１８】図18は、本発明の一つの緩み止め電気プラグであり、追加の電極はUSBプラグである。
【００３８】
【図１９】図19は、図18と嵌合する取り付け爪を有する緩み止め電気ソケットである。
【００３９】
【図２０】図20は、自動車のダッシュボードに携帯電話機を固定した本発明の緩み止め電気ソケットとプラグの斜視図である。
【００４０】
【図２１】図21は、本発明の緩み止め電気ソケット及びプラグであり、プラグ上に回転可能なカメラを有する。
【００４１】
【図２２】図22は、本発明の緩み止め電気ソケット及びプラグであり、プラグ上に回転しないコンパクトカメラを有する。
【００４２】
【図２３】図23は、本発明の複数の緩み止め電気ソケットが取り付けられた車両の正面斜視図である。
【００４３】
【図２４】図24は、本発明の複数の緩み止め電気ソケットが取り付けられた車両の背面斜視図である。
【００４４】
【図２５】図25は、本発明の緩み止め電気ソケットの正面を示し、複数の電極及びガイドスロットを有する。
【００４５】
【図２６】図26は、図25のソケットと嵌合するプラグの正面を示す。
【００４６】
【図２７】図27は、本発明の緩み止め電気ソケットの正面を示し、ガイドスロットがなく、複数の電極を有する。
【００４７】
【図２８】図28は、図22のソケットと嵌合するプラグの正面を示す。
【００４８】
【図２９】図29は、本発明の緩み止め電気ソケットの正面を示し、USBソケットを有する。
【００４９】
【図３０】図30は、図29のソケットと嵌合するプラグの正面を示す。
【発明を実施するための形態】
【００５０】
以下、本発明の実施の形態を図面に基づいて説明する。
図1は、本発明の緩み止め電気ソケット及びプラグとそれを備えた自動車のダッシュボードにGPSが取り付けられた場面で、後方斜視図である。図2は、図1のシーンの正面斜視図である。ここで、1は緩み止め電気ソケット、2は緩み止め電気プラグ、3はプラグ上のUSBインターフェースソケット、4はプラグのネジロッキングナット、5はダッシュボードの上部パネル、6はグローバルポジショニングシステムGPSホルダー、7はGPSである。自動車のダッシュボードは車の運転手の前にあります。車の運転手は計器を見ることができ、手で操作することができます。
【００５１】
図3は、図1のシーンのソケット及びプラグの分解図で、GPSとダッシュボードは省略された。8はGPSホルダーのUSBコネクタで、GPSの電源と電気信号を接続する。9はGPSを機械的に取り付けるための突起部、10はプラグのガイドスプリング、11はプラグのスプリング電源電極、12はソケットの端面、13はガイドばね片10と協働するガイドスロットである。14はねじ付きロッキングナット4と噛合する雄ねじである。15はソケットのフランジ、16はソケット取付けナット、17はねじ、18はソケット回転方向の位置決め面、19はソケットの外部電極である。ダッシュボードパネル5は、ソケット17を取り付けるために、ネジ17と位置決め面18がちょうど挿入される穴を有し、フランジ15と取付ナット16によって締め付けられている。
【００５２】
既存の普通の自動車シガレットライターソケット及びプラグは、電源の正及び負の電極の導通のみを提供する。図2のGPSは、電力接続の以外に、GPS信号及び交通情報信号を高感度で得るために、外部の車両アンテナを必要とすることもある。また、GPSの音声や画像信号、携帯電話のデータ信号を車に送信する必要がある場合がある。したがって、多電極ソケット及びプラグは、この要件を満たすのに役立つ。図4は、本発明の緩み止め多電極電気プラグである。20はGPSホルダーステアリングボールなので、GPSを3Dで回転させることができる。21はばね力電極、22は複数の追加電極である。プラグのガイドばねタブ10は、ソケットのガイドスロット13に挿入されて、プラグの追加の複数の電極22がソケットの追加の複数の電極とかみ合うように、ステアリング用のプラグを位置決めする。
【００５３】
図5は、防水機能を有する封止ゴムリングと一緒に組み立てられた電気ソケット及びプラグの断面図である。図6、図7及び図8は、ソケット1の3つの斜視図である。多電極緩み止め電気プラグのガイドスプリング10は、ソケットのガイドスロット13に挿入される。端部に差し込まれると、プラグのフランジ23がソケットの端面12と接触する。同時に、プラグのばね電極11がソケットシリンダの内壁電極24に接触し、プラグのばね電極21がソケットの電力電極25に接触し、追加の複数のプラグの電極22は、ソケットの複数のばね電極26と接触している。プラグ電極21とソケット電極25の端面には、プラグとソケットが同芯に保持されるように面取り部27が設けられている。プラグのガイドスプリングタブ10は、プラグとソケットが整列するように、ソケットのガイドスロット13と嵌合する。このようにして、プラグの複数の追加電極22は、ソケットの複数のばね電極26と嵌合し、誤挿入を引き起こさない。プラグには2つのガイドスプリング10があり、1つのガイドスプリングと比較して同芯とステアリングを保ち易い。同時接触を確保するために、すべてのプラグ電極21とソケット電極26はスプリング電極を使用する。スプリング接触ピンPOGO PINは良好なスプリング電極です。スパイラル、U字形などの特殊な形状を有する金属シート及びワイヤもばね電極にすることができる。
【００５４】
単にプラグをソケットに挿入だけでは、電極を導通させることができる。その時、緩みがあり、機械的保持が不良、防水がない。その上に、ねじ付きロッキングナット4を締め付けると、プラグ2をしっかりと取り付けることができ、緩みがなくなり、良好な機械的保持が得られる。また、プラグのフランジ面28とソケットの端面12との間には、シール用ゴムリング29を予め挿入しておくことができる。ネジロッキングナット4を締め付けると、シールゴムリング29が押圧されてプラグ2とソケット1の間が防水される。同様に、ソケットロッキングナット16が締め付けられると、シールゴムリング30が押圧されてソケット1と車のダッシュボードパネル5の間が防水される。
【００５５】
コストを低減するために、追加の電極なしに緩み止め電気ソケット及びプラグを作ることが可能である。図9及び図10は、そのようなソケットの2つの斜視図である。ここで、ソケットのガイドスロットは必要でない。ガイドキーのないプラグをソケットに差し込むことができます。ガイドスプリング付きのプラグでは、ガイドスプリングをソケットの内壁に沿ってプラグ円柱内に引き込むことができ、スムーズにソケットに挿入することもできます。
【００５６】
本発明の緩み止め電気ソケットは、既存の普通のシガレットライターソケットと同じ内径、深さ及び電極を有することができる。従って、通常の自動車用シガレットライタープラグは、電気を得るために緩め止め電気ソケットに直接挿入することができる。同様に、多電極緩め止め電気プラグは、通常のシガレットライターのプラグに複数の電極が追加されているが、外形寸法は増加していない。したがって、多電極緩め止め電気プラグは、既存の通常のシガレットライターソケットに直接挿入して使用することもできる。この場合、プラグのねじ付きロッキングナット4は、ロッキングナット4の厚みの距離だけ後方に移動すれば良い。通常、プラグのねじ付きロッキングナット4は、プラグをあまりにも遠く移動させたくない。無くなる恐れがあるからである。これをするには、プラグ近傍で径を少し大きくして、雌ねじロッキングナット4の軸方向の滑りを限定することによって得ることができる。したがって、緩み止め電気ソケット及びプラグは、既存の普通車用シガレットライターソケットとプラグとの双方向挿入性能を有する。
【００５７】
緩み止め電気ソケットは、ねじを用いて車のダッシュボードのパネルに固定することもできる。図11に示すソケットのネジ穴31は、ソケットの正面からネジを差し込むのに適している。図12に示すソケットのネジ穴32は、ソケットの後部からねじを挿入するようになっている。コストを低減するために、複数の電極を有するソケットのガイドスロット13の数は、1つに減らされる。
【００５８】
図13は、ソケットに挿入された多電極緩み止め電気プラグの組み立て図であり、図14はその分解図である。プラグの他端はワイヤ33である。プラグは、ガイドスロットを有するソケットが挿入されるガイドキー34を有する。通常のシガレットライタープラグをこのソケットに差し込むことができます。ただし、通常のシガレットライターソケットにガイドスロットがないため、このプラグは挿入できません。言い換えれば、片方向挿入のみである。 35及び36は、プラグ上の複数の電極であり、ばね電極または非ばね電極とすることができる。25及び37はソケット上の複数の電極である。
【００５９】
図15は、一つの多電極の緩み止め電気プラグ2を二つの多電極の緩み止め電気ソケット1と二つのUSBソケット38に変換するソケット延長コンバータである。
【００６０】
図16は、緩み止め電気ソケット及びプラグを有する電気ヒューマノイド玩具39である。ヒューマノイドのおもちゃは電気なしでも使用できます。ソケットとプラグは、機械的な取り付けと電気的な接続の役割を果たします。振動する車では、しっかりと機械的に取り付けることが重要です。
【００６１】
図17に示す緩み止め電気ソケット及びプラグは、同軸の多電極プラグ40を有する。したがって、ガイド溝やガイドキーは不要であり、使用が簡単である。一般的な車のシガレットライタープラグはこのソケットに差し込むことができるが、このプラグは一般のシガレットライターソケットに差し込むことはできない。GPSホルダーは、GPSホルダーステアリングボール20を有し、GPSホルダーを3次元で回転させることができる。ワイヤ41はステアリングボール20を通り、GPSに接続可能である。また、プラグにはUSBソケットがあり、USBプラグ42が挿入されている。他端のUSBプラグ43は、GPSに挿入することができる。
【００６２】
図18は緩み止め電気プラグであり、通常のシガレットライタープラグにプラグフランジ23、ガイドキー34、USBプラグ44を追加したものである。図19は相手ソケットである。45はUSBソケットの電極、46は取付爪、47は配向突起部である。取付爪46は、弾性を有し、取り付け時には、自動車のダッシュボードパネルの取付孔にソケットの後部を挿入し、奥まで挿入されると取付爪46とソケットフランジ15との間にパネルを入れ、ソケットをパネルにしっかりと取り付ける。図18のプラグは、複数の電極、緩み止め及び防水機能を有し、一般的な自動車シガレットライタープラグも、図19の嵌合ソケットに挿入することができる。 しかしながら、ガイドキー34及びUSBプラグ44の存在により、緩み止め電気プラグは、一般のシガレットライターソケットに挿入することができない。 しかし、ガイドキー34をガイドスプリング10に置き換えて、挿入前にUSBプラグ44をプラグ円柱に手動で後退させると、プラグを一般のシガレットライターソケットに挿入して使用することができる。
【００６３】
図20は、携帯電話49を車のダッシュボードに取り付ける緩み止め電気ソケット及びプラグの一場面である。緩み止め電気ソケット及びプラグは、電話ホルダー48の機械的取り付け及び電気的接続を提供する。携帯電話49と携帯電話ホルダー48との間の電気的接続は、USBコネクタ、iphoneコネクタ、または無線充電、NFCなどの無線近接場コミュニケータを介して接続することができる。
【００６４】
図21及び図22は、緩み止め電気ソケット及びプラグがカメラを支持する場面である。50は上下左右に回転できるカメラ、51は小さな固定カメラである。
【００６５】
図23は、数多くの緩み止め電気ソケットが取り付けられた車両の正面斜視図である。図24は、後面斜視図である。52は車のダッシュボードの位置、53は車のシート位置、54は車の上部外面、55は車の後部窓位置、56は車の後部の外面である。この電気ソケットは、車の前部及び後部天井、車の前部及び後部窓の内側及び外側、車の頭の外側及び車の両側の外側に設置することもできる。また、オートバイや電車や飛行機に搭載することもできる。
【００６６】
種々の設置位置及び必要に応じて、プラグをソケットに挿入し、ロッキングナットを締めて、GPS衛星ナビゲータ、携帯電話、ノートブックコンピュータ、タブレットコンピュータ、テレビ、モニタ、カメラ、レーダー、電球、ファン、無線充電器、無線近接場コミュニケータNFC、コートフックなどを支持することができる。機械的に取り付け、電気的に接続することも可能であるホルダーを介して、様々な電気的または非電気的なアイテムを固定することができる。自動車のすべての緩み止め電気ソケットに同時に電気または非電気品を挿入することが少ない。きれいで美しいためには、保護キャップを雌ねじまたは雌ねじで覆うことができる。保護キャップは、ソケットから分離できる方式又は分離できない方式がある。
【００６７】
上記の緩み止め電気ソケットは、既存のシガレットライターソケットに基づいて改良されている。既存の自動車シガレットライタープラグは、緩み止め電気ソケットに挿入して使用することができる。これにより、既存の多くの自動車電気製品を継続的に使用することができる。多くの車の後ろ側には、電気ソケットが取り付けられて、トレーラーに電力を供給し、トレーラーのブレーキかけ、ブレーキライト、トレーラーライト、及びターンシグナルを行う。一般的な車のシガレットライターソケットとプラグは、緩む可能性があり、電極の数は十分ではないので、この要件を満たすことができない。したがって、フラットまたはラウンド形状の異なるソケット及びプラグが使用されている。彼らは通常のシガレットライターソケットとプラグとの相互挿入ができない。それに彼らは基本的に緩み止めや防水機能を持っていない。しかし、本発明の緩み止めシガレットライターソケット及びプラグは、通常のシガレットライターソケット及びプラグの相互挿入性能を提供し、複数の電極、緩み止め、抜け止め、及び防水を提供するので、トレーラーへの電気接続を非常にうまく満たすことができる。
【００６８】
図25及び26は、異なる電極を有する緩み止め電気ソケット及びプラグの一種である。コストを低減するために、そのようなソケット及びプラグは、通常のシガレットライターソケット及びプラグでの相互挿入性能を犠牲にしてきた。しかし、複数の電極があり、緩み止めと防水性能がある。また、電極コンタクトピンの径が大きく、大電流接続に適している。57は緩み止め電気ソケット、58はソケットの電極、59はガイドスロット、60はソケット取付穴、61は緩み止め電気プラグのワイヤ、62はプラグ電極コンタクトピン、63はガイドキーである。ガイドキー63はリング上にあり、リングは電極接触ピン62を保護して偶発的な損傷を防止する。
【００６９】
図27及び28は、ガイドスロット及びガイドキーのない緩み止め電気ソケット及びプラグの一種である。電極ピンが誤って挿入されるのを防止するために、電極ピンの異なる形状がここで使用される。64は円形電極ピン挿入穴、65は扁平型電極ピン挿入穴、66は緩み止め電気プラグの電線、67は円形電極ピン、68は扁平電極ピンである。
【００７０】
いくつかの自動車内部には、USBソケットとSDメモリカードソケットもある。今ではほとんどが緩み止めや防水性能を持っていない。図29及び図30は、緩み止めUSBコネクタである。69はUSBソケット、70は緩み止めUSBプラグ付きのワイヤ、71はUSBプラグです。ここでUSBコネクタは、USB-A、マイクロUSB、USB-Cとすることができ、また、HDMI（登録商標）、SDメモリカード、マイクロSDメモリカード及び他の既存の一般的な電気コネクタに置き換えることができる。
【００７１】
図25から図30までの緩み止め電気ソケットとプラグの共通の特徴は、上述した緩み止めシガレットライターソケット及びプラグと同様に、ソケットポートの雄ねじ14と、プラグフランジ23と、雌ねじロッキングナット4を有し、機械的固定、電気的接続、及び複数の電極が実現される。更に、シーリングラバーリングと一緒に使用すると、防水を実現することができる。シールゴムリングは、Oリングゴムリング、X型ゴムリング、ゴム製ガスケットなどが可能である。
【００７２】
本発明の緩み止め電気ソケット及びプラグは、自動車によく使用することができ、自動二輪車、電車、飛行機及び建物にも使用することができる。それらは、自動車のDC電源、壁のAC電源、AC電源端子ボード、電気機器用のAC電源、AC電源ケーブル、電気信号コネクタなどの電気ソケット及びプラグとすることができる。
【００７３】
上記実施形態は、本発明の形状、材質、構造等を何ら限定するものではない。本発明の技術的思想に基づく上記の実施形態に対する簡単な変更、均等な変更、及び修正は、本発明の技術的解決法の保護範囲に属する。
【図１】
2019507470.tif 000003
【図２】
2019507470.tif 000004
【図３】
2019507470.tif 000005
【図４】
2019507470.tif 000006
【図５】
2019507470.tif 000007
【図６】
2019507470.tif 000008
【図７】
2019507470.tif 000009
【図８】
2019507470.tif 000010
【図９】
2019507470.tif 000011
【図１０】
2019507470.tif 000012
【図１１】
2019507470.tif 000013
【図１２】
2019507470.tif 000014
【図１３】
2019507470.tif 000015
【図１４】
2019507470.tif 000016
【図１５】
2019507470.tif 000017
【図１６】
2019507470.tif 000018
【図１７】
2019507470.tif 000019
【図１８】
2019507470.tif 000020
【図１９】
2019507470.tif 000021
【図２０】
2019507470.tif 000022
【図２１】
2019507470.tif 000023
【図２２】
2019507470.tif 000024
【図２３】
2019507470.tif 000025
【図２４】
2019507470.tif 000026
【図２５】
2019507470.tif 000027
【図２６】
2019507470.tif 000028
【図２７】
2019507470.tif 000029
【図２８】
2019507470.tif 000030
【図２９】
2019507470.tif 000031
【図３０】
2019507470.tif 000032
【国際調査報告】
2019507470.tif 000033
2019507470.tif 000034
2019507470.tif 000035
2019507470.tif 000036